(57)【特許請求の範囲】
【請求項１】
電線が接続される端子本体内に、前方に開口する後部接続孔が形成され、
前記後部接続孔内に、筒状をなすとともに複数の弾性接触片を有する金属製の接点部材が収容されているものにおいて、
前記後部接続孔の開口部には、前記端子本体とは別体の部品であって、前記接続孔内に収容されている前記接点部材が前方へ離脱することを規制可能な金属製の抜止部材が組み付けられており、
前記抜止部材の内部には前後に貫通する前部接続孔が形成されており、
前記前部接続孔内には、前記後部接続孔内に収容された前記接点部材とは別部品であって、筒状をなすとともに複数の弾性接触片を有する金属製の接点部材が収容されていることを特徴とする雌端子金具。
【請求項２】
前記後部接続孔内に収容された前記接点部材と、前記前部接続孔内に収容された前記接点部材とは、同形状であることを特徴とする請求項１記載の雌端子金具。
【請求項３】
前記抜止部材に、前記後部接続孔と前記前部接続孔とを仕切る縮径部が形成されていることを特徴とする請求項１または２記載の雌端子金具。
【発明の詳細な説明】
【技術分野】
【０００１】
本発明は、雌端子金具に関するものである。
【背景技術】
【０００２】
従来、雄端子金具との接点を複数有する雌端子金具として、雄端子金具が進入する接続孔内に、筒状をなすとともに複数の弾性接触片を有する金属製の接点部材を収容し、複数の弾性接触片を雄端子金具の外周に接触させる構造のものが、特許文献１等に開示されている。
【特許文献１】特開平８−０７８０８１号公報
【発明の開示】
【発明が解決しようとする課題】
【０００３】
接点部材を接続孔内に組み付ける際には、接続孔の正面側の開口から接点部材を押し込むのであるが、接続孔の開口には、接点部材の抜けを防止するための縮径部が形成されていることから、接点部材を細くなるように弾性変形させなければならず、組付けの作業性が良くない。  
本発明は上記のような事情に基づいて完成されたものであって、接点部材の組み付けを容易に行うことができるようにすることを目的とする。
【課題を解決するための手段】
【０００４】
上記の目的を達成するための手段として、請求項１の発明は、電線が接続される端子本体内に、前方に開口する後部接続孔が形成され、前記後部接続孔内に、筒状をなすとともに複数の弾性接触片を有する金属製の接点部材が収容されているものにおいて、前記後部接続孔の開口部には、前記端子本体とは別体の部品であって、前記接続孔内に収容されている前記接点部材が前方へ離脱することを規制可能な金属製の抜止部材が組み付けられており、前記抜止部材の内部には前後に貫通する前部接続孔が形成されており、前記前部接続孔内には、前記後部接続孔内に収容された前記接点部材とは別部品であって、筒状をなすとともに複数の弾性接触片を有する金属製の接点部材が収容されているところに特徴を有する。
【０００５】
請求項２の発明は、請求項１に記載のものにおいて、前記後部接続孔内に収容された前記接点部材と、前記前部接続孔内に収容された前記接点部材とは、同形状であるところに特徴を有する。
【０００６】
請求項３の発明は、請求項１または２に記載のものにおいて、前記抜止部材に、前記後部接続孔と前記前部接続孔とを仕切る縮径部が形成されているところに特徴を有する。
【発明の効果】
【０００７】
＜請求項１の発明＞
接点部材の抜止め手段を、端子本体とは別体部品の抜止部材とし、この抜止部材を接点部材の組付け後に端子本体に組み付けることができるようにした。これにより、接点部材を後部接続孔の内径よりも小さく縮径変形させる必要がなくなるので、組付けの作業性がよい。
【０００８】
また、抜止部材の内部に接点部材を収容できるようにしたので、複数の接点部材を直列状に配置することが可能となり、これにより、雌端子金具全体の外径を大きくすることなく、端子本体内に挿入される雄端子金具との接点数を増大させることができる。
【０００９】
＜請求項３の発明＞
端子本体内の後部接続孔と抜止部材内の前部接続孔との間を縮径部によって仕切ったので、端子本体内の接点部材と抜止部材内の接点部材とが重なる虞がない。
【発明を実施するための最良の形態】
【００１０】
＜実施形態１＞
以下、本発明を具体化した実施形態１を図１乃至図４を参照して説明する。本実施形態の雌端子金具Ｆは、金属製の端子本体１０と、金属製であって端子本体１０とは別体部品の抜止部材２０と、２つの金属製の接点部材３０とを組み付けて構成されたものであり、電線Ｗの端末部に接続されている。
【００１１】
端子本体１０は、全体として前後方向に細長い円筒状をなしている。端子本体１０の前端部分は端子接続部１１となっている。端子接続部１１の内部には、端子接続部１１と同心円形の後部接続孔１２が形成されている。後部接続孔１２は、端子本体１０（端子接続部１１）の前端面に開口され、後部接続孔１２の内径は、その前端（端子本体１０の前端面）から後端に亘って一定の寸法となっている。この後部接続孔１２には接点部材３０が収容されているとともに、前方から雄端子金具Ｍが挿入されるようになっている。
【００１２】
端子本体１０の後端部分は、電線接続部１３となっている。電線接続部１３の内部には、端子本体１０の後端面に開口するとともに、端子本体１０と同心円形であって後部接続孔１２よりも大径の圧着孔１４が形成されているとともに、圧着孔１４の前端と後部接続孔１２との間を連通させるとともに後部接続孔１２よりも小径の連通孔１５が形成されている。
【００１３】
抜止部材２０は、全体として前後方向に細長く、外径が端子接続部１１と同寸法の円筒状をなしている。抜止部材２０の内部には、抜止部材２０と同心円形の前部接続孔２１が前後に貫通して形成されている。前部接続孔２１の内径は後部接続孔１２の内径と同寸法であり、前部接続孔２１の前後方向（軸線方向）の長さは、後部接続孔１２と同じ寸法とされている。この前部接続孔２１には接点部材３０が収容されているとともに、前方から雄端子金具Ｍが挿入されるようになっている。  
前部接続孔２１の前方の開口部には、抜止部材２０（前部接続孔２１）と同心の円形をなし、前部接続孔２１よりも小径の抜止め部２２が一体に形成されている。また、抜止め部２２の前端縁には、後方に向かって縮径するテーパ状の誘導面２３が形成されている。
一方、前部接続孔２１の後端の開口部には、抜止部材２０（前部接続孔２１）と同心の円形をなし、前部接続孔２１よりも小径の段差状の縮径部２４が一体に形成されている。また、抜止部材２０の後端部（縮径部２４）には、抜止部材２０の後面よりも後方へ同心円筒状に突出する嵌合部２５が形成されている。
【００１４】
接点部材３０は、図４に示すような所定の形状に打ち抜いた金属板材を略円筒状に曲げ加工したものであり、前後両端の周方向に延びる帯板状の支持部３１と、両支持部３１の間に前後方向に差し渡された複数の弾性接触片３２とからなる。弾性接触片３２は、径方向内側へ膨出するように湾曲されており、複数の弾性接触片３２は周方向に並列配置されている。かかる接点部材３０は、全体として径寸法を増減させるような形態で弾性変形し得るようになっているとともに、弾性接触片３２をその湾曲の曲率が増減するような形態が弾性変形し得るようになっている。また、接続孔１２，２１に収容されていない自由状態における接点部材３０の外径は、接続孔１２，２１の内径よりも大きい寸法とされている。同じく、接続孔１２，２１に収容されていない自由状態における接点部材３０の前後方向の寸法は、各接続孔１２，２１の前後方向の寸法よりも小さい寸法とされている。
【００１５】
次に、雌端子金具Ｆの組み付け手順を説明する。  
まず、端子本体１０から抜止部材２０を外した状態で、抜止部材２０の前部接続孔２１内に接点部材３０を組み付ける。組付けは、抜止部材２０の前方から接点部材３０を弾性的に縮径変形させつつ抜止め部２２内に差し込むことによって行う。このとき、誘導面２３により、接点部材３０を抜止め部２２内に誘い込むことができる。差し込んだ接点部材３０は、そのまま後方（前部接続孔２１内）へ押し込む。このとき、抜止め部２２の内径とほぼ同径のピン状または筒状の治具（図示せず）を用いる。そして、接点部材３０の前端（差込み方向後端）が抜止め部２２を通過すると、接点部材３０が弾性復元力により拡径変形し、前後両支持部３１が前部接続孔２１の内周面に対して弾性接触する。この弾性接触に起因する摩擦力により、接点部材３０は前部接続孔２１内に自由移動を規制された状態に保持される。以上により、前部接続孔２１への接点部材３０の組付けが完了する。
【００１６】
一方、前部接続孔２１への接点部材３０の組付け工程と相前後して、後部接続孔１２にも接点部材３０を組み付ける。組付けに際しては、端子本体１０から抜止部材２０を外した状態で、接点部材３０を弾性的に縮径させつつ前方から後部接続孔１２内に差し込む。このとき、後部接続孔１２と同径の治具（図示せず）を用い、この治具によって、接点部材３０を所定位置まで押し込む。すると、接点部材３０は、前後両支持部３１を後部接続孔１２の内周面に対して弾性接触させることによって生じる摩擦力により、後部接続孔１２内において自由移動を規制された状態に保持される。以上により、後部接続孔１２への接点部材３０の組付けが完了する。
【００１７】
この後、抜止部材２０を端子本体１０に組み付ける。組付けに際しては、端子本体１０の前方から嵌合部２５を後部接続孔１２の前端部に圧入する。圧入により、抜止部材２０と端子本体１０が、接続孔１２，２１同士を同軸状に且つ直列状に並ぶように配置させた形態に結合される。この状態では、抜止部材２０の縮径部２４と嵌合部２５が、後部接続孔１２の前端部に位置して、前部接続孔２１と後部接続孔１２とを仕切る形態となる。
【００１８】
前部接続孔２１に組み付けられた接点部材３０に軸線方向（前後方向）の外力（例えば、雄端子金具Ｍの挿抜に伴う摩擦力）が作用しても、抜止め部２２により前部接続孔２１から前方へ離脱することが規制されているとともに、縮径部２４と嵌合部２５により後部接続孔１２（後方）への移動が規制されているので、前部接続孔２１内に収容された状態に保持される。一方、後部接続孔１２に組み付けられた接点部材３０に軸線方向（前後方向）の外力（例えば、雄端子金具Ｍの挿抜に伴う摩擦力）が作用した場合でも、後部接続孔１２の後端面により後方へ離脱することが規制されているとともに、縮径部２４と嵌合部２５により前部接続孔２１（前方）への移動が規制されているので、後部接続孔１２内に収容された状態に保持される。  
尚、上記の説明では、抜止部材２０を端子本体１０に組み付ける前に前部接続孔２１に接点部材３０を組み付けたが、前部接続孔２１への接点部材３０の組付けは、抜止部材２０を端子本体１０に組み付けた後で行うこともできる。
【００１９】
上記のように接続孔１２，２１に接点部材３０を収容した後は、電線接続部１３に電線Ｗを接続する。接続に際しては、絶縁被覆Ｗａを除去して露出させた芯線Ｗｂを後方から圧着孔１４内に挿入し、その状態で電線接続部１３のうち圧着孔１４と対応する筒状領域を縮径させるようにカシメ変形させる。このカシメ付けにより、電線接続部１３と芯線Ｗｂとが導通可能に固着される。以上により、雌端子金具Ｆが電線Ｗに接続される。
【００２０】
前方から円形のピン状をなす雄端子金具Ｍが、抜止部材２０を貫通しつつ前部接続孔２１と後部接続孔１２に挿入されると、雄端子金具Ｍの外周に対し、前部接続孔２１内の接点部材３０の弾性接触片３２が周方向に間隔を空けた複数箇所において弾性的に接触するとともに、前部接続孔２１の接点部材３０よりも後方の位置に配置されている後部接続孔１２内の接点部材３０の弾性接触片３２が、周方向に間隔を空けた複数箇所において弾性的に接触し、もって、雌端子金具Ｆと雄端子金具Ｍとが多数の接点によって導通可能に接続される。
【００２１】
上述のように本実施形態においては、端子本体１０に形成されている後部接続孔１２の開口部には、端子本体１０とは別体の部品であって、後部接続孔１２内に収容されている接点部材３０が前方へ離脱することを規制可能な筒状の抜止部材２０が組み付けられている。つまり、接点部材３０の抜止め手段を、端子本体１０とは別体部品の抜止部材２０とし、この抜止部材２０を接点部材３０の組付け後に端子本体１０に組み付けるようにしたので、接点部材３０を後部接続孔２１の内径よりも小さく縮径変形させる必要がなく、組付けの作業性がよい。  
また、抜止部材２０の内部に接点部材３０を収容できるようにしたので、複数の接点部材３０を直列状に配置することが可能となり、これにより、雌端子金具Ｆ全体の外径を大きくすることなく、雄端子金具Ｍとの接点数を増大させることができる。  
また、前部接続孔２１と後部接続孔１２との間が縮径部２４によって仕切られているので、前部接続孔２１内の接点部材３０と後部接続孔１２内の接点部材３０が重なる虞がない。
【００２２】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態では前部接続孔（抜止部材内）に１個の接点部材を収容したが、本発明によれば、前部接続孔に複数の接点部材を収容してもよい。  
（２）上記実施形態では後部接続孔（端子本体内）に１個の接点部材を収容したが、本発明によれば、後部接続孔に複数の接点部材を収容してもよい。  
（３）上記実施形態では前部接続孔に収容する接点部材の数と後部接続孔に収容する接点部材の数を同数としたが、本発明によれば、前部接続孔に収容する接点部材の数と後部接続孔に収容する接点部材の数を異なる数としてもよい。  
（４）上記実施形態では抜止部材の前端の開口部に抜止め用の縮径部を一体に形成したが、本発明によれば、抜止部材の前端の開口部に、抜止部材とは別体部品である抜止め用のキャップを組み付けてもよい。
【図面の簡単な説明】
【００２３】
【図１】実施形態１の断面図
【図２】端子本体の断面図
【図３】接点部材の正面図
【図４】接点部材の展開図
【符号の説明】
【００２４】
Ｆ…雌端子金具
Ｍ…雄端子金具
１０…端子本体
１２…後部接続孔
２０…抜止部材
２１…前部接続孔
２４…縮径部
３０…接点部材
３２…弾性接触片
【図１】
0004508009.tif 000002
【図２】
0004508009.tif 000003
【図３】
0004508009.tif 000004
【図４】
0004508009.tif 000005